(57)【特許請求の範囲】
【請求項１】
透液性表面シートと裏面シートとの間に吸収体が介在されるとともに、肌当接面側の両側部に吸収性物品の長手方向に延びるフィットエンボスを有する吸収性物品において、
前記吸収性物品の肌当接面側であって、前記フィットエンボスよりも外側となる前記吸収体配設領域の両側部のみに対して、前記透液性表面シートの外面側からのエンボッシングにより、前記吸収性物品の長手方向に間隔を空けて、吸収性物品の幅方向に沿った線状エンボス或いは吸収性物品の長手方向成分長さが吸収性物品の幅方向成分長さよりも小さい線状エンボス又はこれらの組み合わせである線状エンボスを吸収性物品の長手方向に沿って整列配置し、
前記線状エンボスは所定長さで線状に引いた形状のエンボスとされ、該エンボスの内方側端部は吸収体配設領域の内部側に位置し、外方側端部は吸収体の側縁に略一致するか吸収体の側縁を越えて形成されることを特徴とする吸収性物品。
【請求項２】
前記線状エンボスは、全長に亘り等幅の線状エンボスである請求項１記載の吸収性物品。
【請求項３】
前記線状エンボスは、内方側端部は最大幅とし、外方側端部にかけて漸次幅を狭めた外方側に向かって先細形状の線状エンボスである請求項１記載の吸収性物品。
【請求項４】
前記吸収性物品は、前記線状エンボスの内方側端部は前記フィットエンボスから外側に離間させてある請求項１〜３いずれかに記載の吸収性物品。
【請求項５】
前記線状エンボスは、吸収性物品の幅方向線に対する前側又は後側への傾斜角度を４５°未満とする条件の下で、吸収性物品の長手方向に沿って整列配置した線状エンボスの内、前側半分については中央から遠ざかるに従って前側への傾斜角度を漸次大きくして配置し、後側半分については中央から遠ざかるに従って後側への傾斜角度を漸次大きくして配置してある請求項１、２いずれかに記載の吸収性物品。
【発明の詳細な説明】
【技術分野】
【０００１】
本発明は、経血、尿、おりものなどを吸収するための生理用ナプキン、失禁パッド、パンティライナー等の吸収性物品、詳しくは脚周りと接触する側部においてヨレや弛みを発生し難くするとともに、肌への摩擦刺激を低減した吸収性物品に関する。
【背景技術】
【０００２】
従来より、生理用ナプキン、失禁パッド、パンティライナーなどの吸収性物品Ｎとして、例えば図１２に示されるように、ポリエチレンシート又はポリエチレンラミネート不織布などからなる裏面シート５０と、不織布又は多孔性プラスチックシートなどからなる透液性表面シート５１との間に綿状パルプからなる吸収体５２を介在させたものが知られている。
【０００３】
上記吸収性物品Ｎの側部は、剛性が低く側部にヨレや弛みが生じ易く、そこから横漏れが発生し易いという問題点があった。
【０００４】
そこで、下記特許文献１では、 肌当接面側に配置された表面シート、非肌当接面側に配置された裏面シート及び両シート間に配置された吸収体を備えた縦長の吸収性物品であって、前記吸収性物品の少なくとも排泄部対向部における、前記吸収体の一対の側部は、該側部の間に位置する幅方向中央部よりも圧縮されることにより、一対の高圧縮領域を形成しており、前記高圧縮領域は前記吸収体の長手方向前後端部までは形成されていない吸収性物品が提案されている。
【先行技術文献】
【特許文献】
【０００５】
【特許文献１】特開２００９−１２５４８５号公報
【発明の概要】
【発明が解決しようとする課題】
【０００６】
ところで、失禁症状が起こることが希な軽度失禁症状を持つ女性や生理時期終盤の女性の場合、長時間に亘って同じ吸収性物品を着用していることが多い。そのため、装着中に脚周りと接触する側部（図１２のＡ領域）において、ヨレによる弛みが発生し、この弛み部分が脚の付け根に長時間接触することになるとともに、肌が擦れて肌トラブル（痒みやかぶれ）が発生することがあった。この問題に対して、上記特許文献１に係る吸収性物品の場合は、側部に高圧縮領域を形成することによりヨレを生じ難くし、横漏れに対処するようにしているが、肌が擦れて肌トラブルが発生する問題については何ら対処されていない。
【０００７】
そこで本発明の主たる課題は、吸収性物品の側部にヨレや弛みを生じ難くすると同時に、肌への摩擦刺激を低減し肌トラブルを解消した吸収性物品を提供することにある。
【課題を解決するための手段】
【０００８】
上記課題を解決するために請求項１に係る本発明として、透液性表面シートと裏面シートとの間に吸収体が介在されるとともに、肌当接面側の両側部に吸収性物品の長手方向に延びるフィットエンボスを有する吸収性物品において、
前記吸収性物品の肌当接面側であって、前記フィットエンボスよりも外側となる前記吸収体配設領域の両側部のみに対して、前記透液性表面シートの外面側からのエンボッシングにより、前記吸収性物品の長手方向に間隔を空けて、吸収性物品の幅方向に沿った線状エンボス或いは吸収性物品の長手方向成分長さが吸収性物品の幅方向成分長さよりも小さい線状エンボス又はこれらの組み合わせである線状エンボスを吸収性物品の長手方向に沿って整列配置し、
前記線状エンボスは所定長さで線状に引いた形状のエンボスとされ、該エンボスの内方側端部は吸収体配設領域の内部側に位置し、外方側端部は吸収体の側縁に略一致するか吸収体の側縁を越えて形成されることを特徴とする吸収性物品が提供される。
【０００９】
上記請求項１記載の発明では、吸収性物品の肌当接面側であって、前記フィットエンボスよりも外側となる前記吸収体配設領域の両側部のみに対して、吸収性物品の長手方向に間隔を空けて、吸収性物品の幅方向に沿った線状エンボス或いは吸収性物品の長手方向成分長さが吸収性物品の幅方向成分長さよりも小さい線状エンボス又はこれらの組み合わせである線状エンボスを吸収性物品の長手方向に沿って整列配置している。従って、装着した状態で脚圧が掛かった場合、多数の線状エンボスを可撓軸として変形することで脚周りに沿って変形し易くなり弛みやヨレが生じ難くなる。また、前記線状エンボスの存在によって吸収体の両側部の剛性が向上するためヨレ難くなり、横漏れが軽減されるようにもなる。
【００１０】
更に、前記線状エンボスによって吸収性物品の両側部（肌当接面側の吸収体側部）には、表面に長手方向に連続した凹凸が形成されるようになるため、肌との接触面積が小さくなり肌への摩擦刺激を低減することができるため肌トラブルを無くすことが可能となる。
【００１１】
前記線状エンボスは所定長さで線状に引いた形状のエンボスとされ、該エンボスの内方側端部は吸収体配設領域の内部側に位置し、外方側端部は吸収体の側縁に略一致するか吸収体の側縁を越えて形成されている。
【００１２】
請求項２に係る本発明として、前記線状エンボスは、全長に亘り等幅の線状エンボスである請求項１記載の吸収性物品が提供される。
【００１３】
上記請求項２記載の発明では、前記線状エンボスの形態を規定したものである。第１の線状エンボスは、全長に亘り等幅の線状エンボスとするものである。
【００１４】
請求項３に係る本発明として、前記線状エンボスは、内方側端部は最大幅とし、外方側端部にかけて漸次幅を狭めた外方側に向かって先細形状の線状エンボスである請求項１記載の吸収性物品が提供される。
【００１５】
上記請求項３記載の発明では、前記線状エンボスの形態を規定したものである。第２の線状エンボスは、肌への当たりを和らげるために、内方側端部は最大幅とし、外方側端部にかけて漸次幅を狭めた外方側に向かって先細形状の線状エンボスとするものである。
【００１６】
請求項４に係る本発明として、前記吸収性物品は、前記線状エンボスの内方側端部は前記フィットエンボスから外側に離間させてある請求項１〜３いずれかに記載の吸収性物品が提供される。
【００１７】
上記請求項４記載の発明は、前記線状エンボスの内方側端部は前記フィットエンボスから外側に離間させるようにしたものである。前記線状エンボスの内方側端部を前記フィットエンボスと接続してしまうと、フィットエンボスに流入した体液を線状エンボスを流路として横漏れさせてしまうためである。
【００１８】
請求項５に係る本発明として、前記線状エンボスは、吸収性物品の幅方向線に対する前側又は後側への傾斜角度を４５°未満とする条件の下で、吸収性物品の長手方向に沿って整列配置した線状エンボスの内、前側半分については中央から遠ざかるに従って前側への傾斜角度を漸次大きくして配置し、後側半分については中央から遠ざかるに従って後側への傾斜角度を漸次大きくして配置してある請求項１、２いずれかに記載の吸収性物品が提供される。
【００１９】
上記請求項５記載の発明では、線状エンボスを上記配置態様とすることにより、吸収性物品がショーツ内で長手方向に湾曲して装着される際に、吸収性物品が湾曲状に変形するのを阻害し難くなる。
【発明の効果】
【００２０】
以上詳説のとおり本発明によれば、吸収性物品の側部にヨレや弛みを生じ難くすると同時に、肌への摩擦刺激を低減し肌トラブルを解消した吸収性物品を提供することができる。
【図面の簡単な説明】
【００２１】
【図１】本発明に係る失禁パッド１の一部破断平面図である。
【図２】失禁パッド１の横断面図（図１のII−II線矢視図）である。
【図３】線状エンボス８部分の拡大図である。
【図４】本発明に係る失禁パッド１の装着状態図である。
【図５】図１のV−V線矢視図である。
【図６】線状エンボス８の変形例（その１）を示す要部拡大図である。
【図７】線状エンボス８の変形例（その２）を示す要部拡大図である。
【図８】線状エンボス８の変形例（その３）を示す要部拡大図である。
【図９】線状エンボス８の変形例（その４）を示す要部拡大図である。
【図１０】線状エンボス８の変形例（その５）を示す要部拡大図である。
【図１１】線状エンボス８の変形例（その６）を示すパッド平面図である。
【図１２】従来の吸収性物品Ｎを示す平面図である。
【発明を実施するための形態】
【００２２】
以下、本発明の実施の形態について図面を参照しながら詳述する。
【００２３】
〔吸収性物品１の構造例〕
吸収性物品１は、主には生理用ナプキン、パンティライナー、失禁パッドなどの用途に供されるもので、例えば図１に示される失禁パッド１は、不透液性裏面シート２と、透液性表面シート３（以下、単に表面シートという。）との間に、吸収体４または同図に示されるように、好ましくはクレープ紙５によって囲繞された吸収体４が介在されるとともに、前記表面シート３と吸収体４との間であって、表面シート３の下面側にセカンドシート６を配置した構造となっている。なお、前記吸収体４の周囲においては、前記不透液性裏面シート２と表面シート３とがホットメルト接着剤等の接着手段によって接合され、吸収体４の存在しないフラップが形成されている。
【００２４】
以下、更に詳しく詳述する。
【００２５】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２６】
前記表面シート３は、有孔または無孔の不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００２７】
前記不透液性裏面シート２と表面シート３との間に介在される吸収体４は、たとえばパルプ中に高吸水性樹脂を混入したもの、或いはパルプ中に化学繊維を混入させるとともに、粒状の高吸水性樹脂を混入したものが使用される。前記吸収体４は、図示のように、形状保持、および尿や経血等を速やかに拡散させるとともに、一旦吸収した尿や経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２８】
前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２９】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３０】
前記透液性表面シート３と吸収体４との間に配置される親水性のセカンドシート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。
【００３１】
〔線状エンボスの形成〕
前記吸収性物品１の表面（肌当接面側）には、表面シート３の外面側からのエンボッシングにより各種のエンボスが付与されている。具体的には、吸収性物品１の長手方向に延びるフィットエンボス部分を有するように、体液排出部Ｈを囲むように小判形状でフィットエンボス７が形成されているとともに、吸収体４の配設領域の両側部に対して、前記吸収性物品１の長手方向に間隔を空けて、吸収性物品１の幅方向成分長さが卓越した線状エンボス８，８…を吸収性物品１の長手方向に沿って整列配置している。
【００３２】
前記線状エンボスとは、「−」字のように、所定長さで線状に引いた形状のエンボスを意味する。また、前記「幅方向成分長さが卓越した線状エンボス」とは、具体的には吸収性物品１の幅方向に沿った線状エンボスか、或いは吸収性物品１の長手方向成分長さが吸収性物品１の幅方向成分長さよりも小さい線状エンボス又はこれらの組み合わせを意味する。前記「吸収性物品の長手方向成分長さ」とは、図１１に示されるように、線状エンボス８が傾斜している場合の吸収性物品１の長手方向成分長さ（Ｌ・sinθ）であり、前記「吸収性物品の幅方向成分長さ」とは、線状エンボス８が傾斜している場合の吸収性物品１の幅方向成分長さ（Ｌ・cosθ）である。ここで、Ｌ：線状エンボスの長さであり、θは線状エンボス８の方向と幅方向線とが成す角度である。すなわち、前記線状エンボス８は前側又は後側に傾斜していても良いがその傾斜角度θを±４５°未満とすると、上記条件を満たすことになる。
【００３３】
図３に示されるように、前記線状エンボス８の内方側端部８ａは、吸収体配設領域の内部に位置し、外方側端部８ｂは吸収体４の側縁４ａに略一致させるようにするのが望ましい。
【００３４】
前記線状エンボス８の長さ寸法Ｌは、５〜３０mm、好ましくは１０〜１５mmとし、幅寸法ｂは、０．２〜２．０mm、好ましくは０．５〜１．５mmとし、吸収性物品１の長手方向間隔Ｐは３〜１５mm、好ましくは６〜１２mmとするのが望ましい。
【００３５】
前記線状エンボスの内方側端部８ａは、フィットエンボス７に流入した体液を線状エンボス８を流路として横漏れしないように、フィットエンボス７から外側に１〜５mm、好ましくは３〜５mm（符号ａの距離）離間させて配置するのが望ましい。また、前記線状エンボス８，８…の形成区間Ｓ（図１参照）は、着用者の脚周りに接触する長さ範囲に亘って形成するのが望ましい。
【００３６】
前記線状エンボス８，８…を形成することにより、装着した状態で脚圧が掛かった場合、多数の線状エンボス８，８…を可撓軸として変形することで脚周りに沿って変形し易くなりヨレや弛みが生じ難くなるとともに、吸収体４の両側部の剛性が向上するためヨレ難くなり、横漏れが軽減されるようになる。また、図４に示されるように、本吸収性物品１の装着した状態で、表面側の両側部分が脚の付け根や臀部に接触したとしても、図５に示されるように、前記線状エンボス８，８…によって吸収性物品１の両側部（肌当接面側の吸収体側部）には、表面に長手方向に連続した凹凸が形成されるようになるため、肌との接触面積の小さくなり肌への摩擦刺激を低減することができるため肌トラブルを解消することが可能となる。
【００３７】
ところで、前記線状エンボス８の外方側端部８ｂは、図６に示されるように、吸収体４の側縁４ａを越えて形成されていてもよい。この場合でも、前記外方側端部８ｂはフラップの外縁（吸収性物品１の外形線位置）まで達することなくその手前位置で止めるようにするのが望ましい。
【００３８】
さらに、前記線状エンボス８は、図３や図５等に示されるように、全長に亘って等幅とすることでもよいが、肌への当たりを和らげるために、図７に示されるように、内方側端部８ａは最大幅(ｂ)とし、外方側端部８ｂにかけて漸次幅を狭めた外方側に向かって先細形状の線状エンボスとすることも可能である。また、前記線状エンボス８は、中間の１又は複数箇所に分断部を有するようにしてもよい。
【００３９】
他方、前記線状エンボス８の内方側端部８ａをフィットエンボス７に対して接続させることも可能であるが、接続させた場合には、線状エンボス８を流路として体液が横漏れする可能性があるため、前記線状エンボス８の中間に分断部８ｃを有するようにして体液が端部まで流れないようにすることが望ましい。そして、分断部８ｃよりも内方側に位置する内方側線状エンボス８Ａ、８Ａ…と外方側に位置する外方側線状エンボス８Ｂ、８Ｂ…とは夫々、吸収性物品１の長手方向に間隔を空けるとともに、吸収性物品の長手方向に沿って整列配置するようにする。具体的に説明すると、図８に示される第１形態例は、前記内方側線状エンボス８Ａ、８Ａ…と外方側に位置する外方側線状エンボス８Ｂ、８Ｂ…とを長手方向の同位置に配置した例であり、図９に示される第２形態例は、前記内方側線状エンボス８Ａ、８Ａ…と外方側に位置する外方側線状エンボス８Ｂ、８Ｂ…とを長手方向に位置をずらして配置した例であり、図１０に示される第３形態例は、前記内方側線状エンボス８Ａ、８Ａ…と外方側に位置する外方側線状エンボス８Ｂ、８Ｂ…とを長手方向に位置をずらすとともに、幅方向に若干の重ね代を設けるようにした例である。これらの場合において、内方側線状エンボス８Ａと外方側線状エンボス８Ｂとの離間距離ｄは１mm以上確保することが望ましい。
【００４０】
前述したように、前記線状エンボス８は、吸収性物品１の幅方向成分長さが卓越しているものであればよい。従って、図１に示されるように、吸収性物品１の幅方向に沿った方向に長い線状エンボスとする以外に、前記線状エンボス８は傾斜角度を４５°未満とする条件の下で、前側又は後側に傾斜していても良い。このような傾斜配置例としては、図１１に示されるように、吸収性物品１の長手方向に沿って整列配置した線状エンボス８，８…の内、前側半分については、中央から遠ざかるに従って傾斜角度（θ）を漸次大きくして配置し、後側半分については、中央から遠ざかるに従って傾斜角度（−θ）を漸次大きくして配置するようにした例を挙げることができる。このような配置態様とすることにより、吸収性物品１がショーツ内で長手方向に湾曲して装着される際に、吸収性物品１が湾曲状に変形するのを阻害し難くなる。なお、線状エンボス８の間隔Ｐは内方側端部８ａの間隔Ｐ１と外方側端部８ｂの間隔Ｐ２とで異なることになるが、いずれの間隔Ｐ１、Ｐ２も前述した長手方向間隔Ｐの寸法範囲とするのが望ましい。
【００４１】
〔他の形態例〕
(1)上記形態例では、小判形状のフィットエンボス７を有する吸収性物品１について説明したが、フィットエンボスは長手方向の両側に夫々別々に形成された直線状、円弧状又はこれらを組み合わせた形状のフィットエンボスであってもよい。また、フィットエンボスは本発明において必須の構成ではなく、フィットエンボス７を有しない吸収性物品に対しても同様に適用できる。フィットエンボスを有しない吸収性物品の場合は、両端の線状エンボスの間隔(一方側の線状エンボス８の内方側端部８ａと他方側の線状エンボス８の内方側端部８ａとの間隔)は２０mm以上空けることが望ましい。
(2)上記形態例では、ウィング状フラップを有しない吸収性物品１を例に採って説明したが、両側部にウイング状フラップを備えた吸収性物品に対しても同様に適用できる。
(3)上記形態例では、立体ギャザーを有しない吸収性物品について詳述したが、立体ギャザーを有する場合には、吸収体４の側端部よりも外側に起立点を有する立体ギャザーとするのが望ましい。
【符号の説明】
【００４２】
１…吸収性物品、２…不透液性裏面シート、３…透液性表面シート、４…吸収体、５…クレープ紙、６…セカンドシート、７…フィットエンボス、８…線状エンボス、８ａ…内方側端部、８ｂ…外方側端部、８ｃ…分断部、８Ａ…内方側線状エンボス、８Ｂ…外方側線状エンボス
【図１】
0006668028.tif 000002
【図２】
0006668028.tif 000003
【図３】
0006668028.tif 000004
【図４】
0006668028.tif 000005
【図５】
0006668028.tif 000006
【図６】
0006668028.tif 000007
【図７】
0006668028.tif 000008
【図８】
0006668028.tif 000009
【図９】
0006668028.tif 000010
【図１０】
0006668028.tif 000011
【図１１】
0006668028.tif 000012
【図１２】
0006668028.tif 000013